(57)【要約】【課題】遊技機の近傍において、杖等の長尺物を安定姿勢で置くことができる遊技場用設備を提供する。【解決手段】ぱちんこ機２００を並設されて成る遊技機島２０１に取り付けられるものであり、切り欠き部１０を有する立設部を有し、遊技機島２０２におけるぱちんこ機２００の設置位置よりも低位置でかつ、ぱちんこ機２００の並設方向に延伸するように設置された板状の膳板に固定されるものであり、切り欠き部１０に長尺物を挿入し、所定の姿勢に保持できる構成とする。【選択図】図２
2013135767.tif 000002
【特許請求の範囲】
【請求項１】
１又は複数の遊技機を並設されて成る遊技機群に取り付けられる遊技場用設備であって、
長尺物を保持する保持部を有し、
前記遊技機群における遊技機の設置位置よりも低位置にあって、遊技機の並設方向に延伸するように設置された板状の構造体に固定されるものであることを特徴とする遊技場用設備。
【請求項２】
前記板状の構造体と不可分一体となっているものであることを特徴とする請求項１に記載の遊技場用設備。
【請求項３】
前記板状の構造体の下面に取り付けられるものであることを特徴とする請求項１又は２に記載の遊技場用設備。
【発明の詳細な説明】
【技術分野】
【０００１】
本発明は、ぱちんこ機やスロット機などの遊技機が並列された遊技機島に設けられる遊技場用設備に関するものである。
【背景技術】
【０００２】
ぱちんこ機やスロット機等の遊技機が設置される遊技場は、少額の予算で長時間遊技できることから、若年層から高齢者までの幅広い年齢層に支持されている。このような遊技機が設置された遊技場では、１又は複数の遊技機を並設した遊技機島が複数列並んでおり、複数の遊技者が所定の遊技機で同時に遊技を行うことができるようになっている。
【０００３】
これらの遊技機島には、通常、遊技機の下方に位置し、その遊技機の並設方向に延伸した膳板と呼ばれる板状の構造物が設けられている（例えば、特許文献１）。この膳板は、遊技者が椅子に腰掛けた際に、所持品を置く物置として使用されることがある。具体的には、膳板は、傘や杖といった長尺物を立て掛けたり、携帯等の小物を載置されたりする。また、ぱちんこ機の場合では、別の用途として、遊技球を貯留する貯留箱を載置されて使用されることもある。
【先行技術文献】
【特許文献】
【０００４】
【特許文献１】特開２０１１−０７２４９８号公報
【発明の概要】
【発明が解決しようとする課題】
【０００５】
しかしながら、膳板には、上記したように物置としての機能があるものの、傘や杖などの長尺物を所定の姿勢に保持させる機能が備えられていない。即ち、長尺物を置く場合、単に膳板に立てかけて置かれているにすぎず、その長尺物の姿勢は不安定となっている。言い換えると、少しの接触で倒れる状態となっている。そのため、膳板に立てかけられた長尺物に遊技者の手等が接触すると、長尺物が傾倒し、長尺物が隣の遊技者に接触する場合があった。また、長尺物が地面に転がると、遊技場を歩いている遊技者の脚が長尺物に引っかかり、遊技者がつまずく虞があった。さらに、長尺物を地面に転がったまま放置すると、従業員の業務に支障をきたす虞があった。
【０００６】
そこで、本発明は、上記課題を解決すべくなされたもので、遊技機の近傍において、杖等の長尺物を安定姿勢で置くことができる遊技場用設備を提供するものである。
【課題を解決するための手段】
【０００７】
上記課題を解決するための請求項１に記載の発明は、１又は複数の遊技機を並設されて成る遊技機群に取り付けられる遊技場用設備であって、長尺物を保持する保持部を有し、前記遊技機群における遊技機の設置位置よりも低位置にあって、遊技機の並設方向に延伸するように設置された板状の構造体に固定されるものであることを特徴とする遊技場用設備である。
【０００８】
本発明の構成によれば、長尺物を保持する保持部を有しているため、傘等の長尺物を板状の構造物に安定姿勢に保持することができる。即ち、例え不意に遊技者の手が保持された長尺物に接触しても長尺物が傾倒することがない。それ故に、長尺物が傾倒し、隣の遊技者に長尺物が接触することを防止することができる。また、安定姿勢に保持するため、長尺物が地面に転がり落ちることもない。それ故に、遊技場を歩いている遊技者の脚が長尺物に引っかかり、つまずくこともなく、従業員の業務に支障をきたす場合もない。
なお、ここでいう「安定姿勢」とは、姿勢が安定している状態を示し、自然状態では、姿勢に変動がない状態を示す。
【０００９】
請求項２に記載の発明は、前記板状の構造体と不可分一体となっているものであることを特徴とする請求項１に記載の遊技場用設備である。
【００１０】
本発明の構成によれば、前記板状の構造体と不可分一体となっているため、遊技場用設備単独で盗まれることがない。
【００１１】
ところで、板状の構造体の代表例である膳板の構造は、略長方形状の板状体であり、その長辺が遊技機の並設方向に延伸している。
また、通常の膳板は、木製の板材の遊技者への露出面（遊技者が通常の遊技で視認できる領域）をステンレス等の高い硬度を有した金属板で覆っている。即ち、高い硬度を有した金属板を用いることで、膳板の表面に傷が付くことを防止するとともに清潔さを保っている。その反面、高い硬度を有した金属板で覆っているため、従来の遊技機群へ遊技場用設備を導入するにあたって、金属板を加工することは容易ではない。
そこで、発明者は、従来の遊技機群の構造を変えることなく、遊技場用設備を導入する方法を考えた。上記したように通常の膳板は、木製の板材の遊技者への露出面を高い硬度を有した金属板で覆っている。一方、遊技者が通常の遊技で視認できない領域である膳板の下面は、木製の板材が露出しており金属板が覆われていない。そこで、発明者は、膳板の下面は、木製の板材がむき出しになっており、加工容易であることに注目した。
【００１２】
上記した考えのもと、導かれた請求項３に記載の発明は、前記板状の構造体の下面に取り付けられるものであることを特徴とする請求項１又は２に記載の遊技場用設備である。
【００１３】
本発明の構成によれば、前記板状の構造体の下面に取り付けられているため、取り付け加工が容易である。即ち、従来の遊技機群に取り付けることが可能であり、汎用性が高い。
【発明の効果】
【００１４】
本発明によれば、長尺物を保持する保持部を有しているため、杖等の長尺物を安定姿勢で置くことができる。
【図面の簡単な説明】
【００１５】
【図１】本実施形態に係る遊技場の構造を備えた遊技場の状況を示す説明図である。
【図２】遊技者が遊技機を遊技した状況を示す説明図である。
【図３】本発明の第１実施形態にかかる遊技場用設備が膳板に取り付けられた状況を示す断面斜視図である。
【図４】本発明の第１実施形態にかかる遊技場用設備の斜視図である。
【図５】図３の要部のＡ−Ａ断面図である。
【図６】遊技場用設備を膳板に設置する手順を表す説明図であり、（ａ）は取り付け時、（ｂ）は固定時における断面図である。
【図７】遊技場用設備の使用例を表す説明図であり、（ａ）は長尺物を遊技場用設備に取り付ける時、（ｂ）は長尺物を遊技場用設備に取り付けた後における斜視図である。
【図８】遊技場用設備の使用例を表す説明図であり、（ａ）は長尺物を遊技場用設備に装着する時、（ｂ）は長尺物を遊技場用設備から取り外す時における斜視図である。
【図９】本発明の第２実施形態にかかる遊技場用設備が膳板に取り付けられた状況を示す断面斜視図である。
【図１０】遊技場用設備の使用例を表す説明図である。
【図１１】本発明の第３実施形態にかかる遊技場用設備が膳板に取り付けられた状況を示す断面斜視図である。
【図１２】図１１の要部の分解斜視図である。
【図１３】図１１の要部の別方向から視た斜視図である。
【発明を実施するための形態】
【００１６】
以下に本発明の実施形態について詳細に説明する。
なお、以下の説明において、特に断りがない限り、上下左右の位置関係は、通常の設置位置を基準に説明する。
【００１７】
本実施形態の遊技場の構造は、主に複数の弾球遊技機（所謂ぱちんこ機）２００を１つの群とした所謂遊技機島２０１に適した構成であり、ホール内においてはその遊技機島２０１が複数配されて形成されている。そこで、以下の説明においては、理解を容易にするために、１つの遊技機島２０１に注目して説明する。
【００１８】
即ち、図１に示すように、遊技機島２０１においては、所定台数分（図１では５台分）の遊技機取り付け部２０２が設けられており、その各遊技機取り付け部２０２に１台ずつぱちんこ機２００が設置されている。具体的には、遊技機島２０１においては、所定の台数のぱちんこ機２００が２列（図１の正面側に１列、背面側に１列）に配され、各列にぱちんこ機２００が並設されている。そして、各ぱちんこ機２００に対向する位置に遊技者が着座可能な椅子（図２）が１脚ずつ配置されている。
なお、遊技機島２０１の内部においては、柱や梁などの構造体の他、各ぱちんこ機２００に遊技媒体（以下、単に球という）を搬送する球搬送装置（図示しない）、各ぱちんこ機２００から回収された球が一時的に貯留される貯留タンク（図示しない）、回収された球の汚れを除去し磨く球研磨装置（図示しない）等のぱちんこ機２００を動作させる際に関連する機器が配されているが、本発明においては特に関係がないため説明を省略する。
【００１９】
遊技機島２０１は、図１，図２のようにぱちんこ機２００の並設方向ｌに沿って、膳板５０が設けられている。
膳板５０は、図３のように長方形状の骨格部５１と、骨格部５１の一部を覆う被甲部５２とを有している。
骨格部５１は、膳板５０の骨格をなす部材であり、ぱちんこ機２００の設置面に対して直交方向ｍに突出している。骨格部５１は、木製の板状の部材である。骨格部５１は、主に本体部５３と、本体部５３の突出方向ｍ先端部から上方に向けて突出した突出部５５から形成されている。本体部５３は、突出方向ｍ基端部が遊技機島２０１（図１参照）に接続されている。突出部５５は、膳板５０上に球がこぼれた場合において、球が下方に落下することを防止する堰としての機能を有した部位である。
被甲部５２は、骨格部５１の通常の遊技において遊技者の視認できる領域を覆う部材である。具体的には、被甲部５２は、骨格部５１の上面及びその側面を覆っており、骨格部５１の下面は覆っていない。即ち、骨格部５１の下面は外部に露出している。また、被甲部５２は、ステンレス等の高い硬度を有した金属板によって形成されている。
【００２０】
ところで、上記したように、膳板５０には物置としての機能があるものの、傘や杖などの長尺物を所定の姿勢に保持させる機能が備えられていない。即ち、長尺物を膳板５０に立てかけると長尺物が傾倒する虞がある。
そこで本発明の遊技場用設備１では、膳板５０の近傍に長尺物を所定の姿勢に保持させる機能を有している。
【００２１】
以下、本発明の特徴たる遊技場用設備１について説明する。
【００２２】
遊技場用設備１は、図３のように膳板５０に固定可能な部材であり、膳板５０の突出方向ｍ端部に取り付けられるものである。遊技場用設備１の材質は、弾性を有していれば特に限定されるものではなく、例えば、硬質ゴムが採用できる。
【００２３】
遊技場用設備１は、図４のように側面視して略「コ」字状の部材であり、底面部２と、天面部３と、底面部２と天面部３とを接続する立設部５を有している。
底面部２は、膳板５０の下面の一部を覆う部位であり、部材厚方向（天地方向）に貫通した複数の貫通孔６を有している。本実施形態では底面部２は２つの貫通孔６を有している。
立設部５は、底面部２から上方に向けて立設した部位であり、膳板５０の突出方向先端面を覆う部位である。
立設部５の上下方向の長さＨ１は、膳板５０の突出部５５の上端面から底面部の下面までの長さＨ２（図５参照）に等しい。
天面部３は、膳板５０の上面の一部を覆う部位であり、本体部７と、本体部７の延伸方向端部から下方に向けて突出した係合部８とによって形成されている。
本体部７は、立設部５の上端部から膳板５０の突出方向ｍの基端側に向けて延伸した部位である。
係合部８は、取り付け時において、膳板５０の突出部５５に係合する部位である。
【００２４】
また、遊技場用設備１は、膳板５０の突出方向ｍ端部に、上下方向全体に亘って切り欠かれた切り欠き部１０を有している。具体的には、切り欠き部１０は、底面部２と天面部３と立設部５の３つの部位に亘って切り欠かれており、遊技場用設備１の突出方向ｍ先端部から基端方向に延伸している。切り欠き部１０の縁形状は、平面視で円弧状となっている。さらに詳細には、切り欠き部１０の切り欠き部分の縁形状は、平面視で優弧状となっており、始点と終点との距離Ｌ１は、切り欠き部１０の直径Ｒ１よりも短く、長尺物の取り付け部分の最大外径よりも少し短い。
切り欠き部１０の切り欠き形状は、図４，図５のように天地方向にテーパー状となっており、上方から下方に向かうにつれて開口面積が小さくなっている。
そして、切り欠き部１０は、その内部に長尺物を挿入可能となっている。
なお、切り欠き部１０の最小開口径は、特に限定されないが、姿勢の保持が安定する観点から長尺物を取り付け時に長尺物の取り付け部分の外径と同じか、やや大きいことが好ましい。
【００２５】
以下、遊技場用設備１の一般的な取り付け方法に従って、膳板５０と遊技場用設備１の位置関係について説明する。
図６（ａ）のように膳板５０の上方斜めから膳板５０の突出部５５を覆うように遊技場用設備１を取り付ける。具体的には、遊技場用設備１を弾性限度内で撓まして膳板５０に嵌め込む。
このとき、膳板５０の突出部５５と遊技場用設備１の係合部８が互いに係合している。膳板５０の突出方向ｍ先端部を底面部２と天面部３が挟持している。即ち、突出部５５は、遊技場用設備１の上部を固定する係止片として機能する。
換言すると、本発明の遊技場用設備１は、膳板５０（板状の構造体）の張り出し側端部に球の落下を防止する突出部５５（係止片）が設けられ、前記突出部５５と係合可能な係合部８を有している。
【００２６】
その後、骨格部５１の下面であって貫通孔６に対応する位置に電動ドリルなどを用いて仮穴を空ける。そして、図６（ｂ）のように当該仮穴及び貫通孔６に亘って締結要素を挿入し、遊技場用設備１を不可分一体に固定する。
ここでいう「締結要素」とは、ねじ、釘、鋲などの上位概念である。
【００２７】
以下、遊技場用設備１の一般的な使用方法について説明する。
なお、遊技場用設備１が保持する長尺物としては、特に限定されないが、杖や傘などが挙げられる。長尺物としては、長手方向の長さが膳板５０の下面から遊技場の床面までの長さよりも長いものが好ましい。長尺物の断面形状は、特に限定されるものではないが、本実施形態では、円形となっている。また、長尺物の材質は特に限定されない。
長尺物を取り付ける際には、図７（ａ）から図７（ｂ）のように長尺物の長手方向先端から切り欠き部１０に挿入する。
このとき、長尺物の外周面が切り欠き部１０に嵌り、長尺物が遊技場用設備１に挟持される。ここで遊技場用設備１は弾性を有するため、長尺物に傷が付きにくい。
【００２８】
長尺物を取り外す際には、上方へ引き抜くか、図８（ａ）から図８（ｂ）のように手前に引き抜く。手前に引き抜いた場合、遊技場用設備１の弾性限度で、撓み、切り欠き部１０の開口面積が増加する。それ故に、長尺物を引き抜くことができる。
本実施形態の遊技場用設備１によると、長尺物の取り付け方及び取り外し方が単純であるため、例え、高齢者であっても、容易に使用できる。
【００２９】
上記した実施形態では、長尺物を切り欠き部１０内に挿入し、挟持させる構成としたが、本発明はこれに限定されるものではなく、長尺物を係止させる構造としてもよい。具体的には、第２実施形態として説明する。
【００３０】
第２実施形態にかかる遊技場用設備１００は、図９のように取り付け部１０１と、保持部１０２を有している。
取り付け部１０１は、板状の部位であり、部材厚方向に貫通した複数の貫通孔を有している。本実施形態では、取り付け部１０１は、２つの貫通孔（図示しない）を有している。
保持部１０２は、中心に開口１０５を有した環状の部位である。その中心に位置する開口１０５は、長尺物を挿通可能となっている。開口１０５の形状は、円形となっている。開口１０５の開口径は、長尺物の取り付け部分の外径よりも大きい。
【００３１】
遊技場用設備１００は、膳板５０に締結要素によって固定されている。
保持部１０２の開口１０５は、天地方向に向いている。
【００３２】
以下、遊技場用設備１００の一般的な使用方法について説明する。
遊技場用設備１００に長尺物を取り付ける際には、図１０のように長尺物の長手方向先端を天地方向上方から開口１０５内に挿入する。
このとき、長尺物は、遊技場用設備１００内に立てかけられ、保持部１０２の内周面によって係止されている。
長尺物を取り外す際には、上方へ引き抜いて取り外す。
【００３３】
上記した実施形態では、膳板５０を変形させずに、遊技場用設備を取り付けたが、本発明はこれに限定されるものではなく、膳板５０を変形させて取り付けてもよい。具体的には、第３実施形態として説明する。
【００３４】
本発明の第３実施形態にかかる遊技場用設備１５０は、第１実施形態の遊技場用設備１と取り付け構造が異なる。
遊技場用設備１５０を固定する膳板１７０は、図１１，図１２のように遊技場用設備１５０の外形に沿って切り欠かれた切り欠き部１７１を形成している。即ち、切り欠き部１７１は、その切り欠き部分に遊技場用設備１５０を嵌め込むことが可能となっている。具体的には、切り欠き部１７１は、天地方向に貫通した挿入空間１７３と、挿入空間の天地方向下方から両外側方向（遊技機２００の延設方向）に延伸した係止空間１７５が形成されている。
一方、遊技場用設備１５０は、本体部１５１と、本体部１５１の上面から上方に向けて突出した係止部１５２と、本体部１５１の下面から外側方向に張り出した張り出し部１５３とを有している。張り出し部１５３は、複数の貫通孔を有している。
【００３５】
膳板１７０と遊技場用設備１５０との位置関係について説明すると、膳板１７０の挿入空間１７３内に遊技場用設備１５０の本体部１５１及び係止部１５２が挿入されている。膳板１７０の係止空間１７５内に遊技場用設備１５０の張り出し部１５３が挿入されている。遊技場用設備１５０の張り出し部１５３と膳板１７０の骨格部５１に亘って締結要素が挿入されている。即ち、締結要素によって、膳板１７０と遊技場用設備１５０とが不可分一体に固定されている。
膳板１７０の下面と遊技場用設備１５０の下面は図１３のように面一となっている。具体的には、膳板１７０の被甲部５２の下端面と遊技場用設備１５０の本体部１５１及び張り出し部１５３の下面が同一平面を形成しており、面一となっている。
膳板１７０の下面と遊技場用設備１５０の下面が面一となっているため、遊技者の脚側に部材が突出せず、邪魔にならない。
また、遊技場用設備１５０及び膳板１７０の通常の遊技において遊技者の視認できる面もそれぞれ面一となっている。即ち、遊技場用設備１５０と膳板１７０との接続部分には段差がなく、見栄えが良い。
【００３６】
上記した実施形態では、締結要素で遊技場用設備を不可分一体に固定したが、本発明はこれに限定されるものではなく、締結要素を設けなくてもよい。例えば、接着性を有したシール材などの接着手段によって遊技場用設備を用いて接着してもよい。
【００３７】
上記した実施形態では、係合部８を設けたが、本発明はこれに限定されるものではなく、係合部８を設けなくてもよい。
【００３８】
上記した実施形態では、切り欠き部１０をテーパー状にしたが、本発明はこれに限定されるものではなく、直線状の切り欠きであってもよい。
【符号の説明】
【００３９】
１，１００，１５０  遊技場用設備
１０  切り欠き部（保持部）
５０，１７０  膳板（板状の構造体）
１０５  開口（保持部）
２００  ぱちんこ機（遊技機）
２０１  遊技機島（遊技機群）
【図１】
2013135767.tif 000003
【図２】
2013135767.tif 000004
【図３】
2013135767.tif 000005
【図４】
2013135767.tif 000006
【図５】
2013135767.tif 000007
【図６】
2013135767.tif 000008
【図７】
2013135767.tif 000009
【図８】
2013135767.tif 000010
【図９】
2013135767.tif 000011
【図１０】
2013135767.tif 000012
【図１１】
2013135767.tif 000013
【図１２】
2013135767.tif 000014
【図１３】
2013135767.tif 000015